(57)【要約】【課題】  体動回数に関連する事象やセンサにて検出できる事象に限定されずに、医療従事者が患者の体調の回復具合をできる限り適切に容易に判断できるようにする。【解決手段】  患者の症状に適合する呼出種別を示す呼出種別情報とその患者の症状が回復している場合に特定呼出操作部４の操作頻度が増加傾向であるか減少傾向であるかを示す傾向情報とをナースコール子機１毎に設定し、特定呼出操作部４が操作されると、それを履歴として記憶し、集計部１１ｃはその履歴から操作頻度を集計する。変化判定部１１ｄは、傾向情報の値が減少であり操作頻度が増加しているか、傾向情報の値が増加であり操作頻度が減少していると、患者の体調が悪化していると判定し、傾向情報の値が増加であり操作頻度が増加しているか、傾向情報の値が減少であり操作頻度が減少していると、患者の体調が回復していると判定する。【選択図】        図１
2010233627.tif 000002
【特許請求の範囲】
【請求項１】
患者が医療従事者を呼び出す際に操作され、前記患者の症状に適合する呼出種別が設定された特定呼出操作部を備えたナースコール子機と、
前記特定呼出操作部が操作された履歴を示す履歴情報と前記ナースコール子機を識別するための子機識別情報とを関連付けて記憶する記憶部と、前記特定呼出操作部が操作されたか否かを判定する操作判定部と、前記特定呼出操作部が操作されたと前記操作判定部にて判断した場合に、前記履歴情報を生成して前記特定呼出操作部を備えるナースコール子機の子機識別情報に関連付けて前記記憶部に記憶させる記憶制御部と、前記記憶部の履歴情報を参照し、前記特定呼出操作部の操作頻度を示す頻度情報を集計する集計部と、前記集計部にて集計した前記頻度情報の値から、前記特定呼出操作部を操作した患者の体調の変化を判定する変化判定部とを備えた判定装置と、
を備えたことを特徴とするナースコールシステム。
【発明の詳細な説明】
【技術分野】
【０００１】
本発明は、病院などで患者からの要求に応じて医師や看護師などの医療従事者を呼び出すナースコールシステムに関する。
【背景技術】
【０００２】
従来、病院などでは、ナースコールシステムが用いられている。ナースコールシステムは、病室内の患者の近辺（例えば、ベッド上など）に設置されたナースコール子機および医療従事者の居る部屋（例えば、スタッフルームなど）に設置されたナースコール親機を有線などにより接続して構成されている。また、ナースコール子機およびナースコール親機は、廊下灯や制御機などを介して接続されている。さらに、医療従事者が携行している複数の携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。呼び出しを把握した医療従事者は、ナースコール親機に設けられた受話器や携帯通信端末により呼び出しに応答することができる。
【０００３】
ところで、医療従事者は、患者に対して実施した診察の結果や患者に対して実施した検査の結果などから患者の体調の回復具合を判断している。また、医療従事者は、過去の業務経験をもとに患者の体調の回復具合を判断することが多い。そのため、業務経験の浅い医療従事者は、患者の体調の回復具合を適切に判断することができないケースがあった。
【０００４】
そのため、高齢者などの監視対象者の体調の具合を自動的に判定する健康状態監視システムが知られている（例えば、特許文献１など）。特許文献１に記載の健康状態監視システムでは、監視対象者が使用するエアマットレスや車椅子などの生活機器に圧力センサや赤外線人感センサなどのセンサを取り付け、センサの検出結果から生活機器上での監視対象者の体動回数を活動量として計算し、計算した活動量から監視対象者の体調の具合を判定するようにしている。これにより、監視対象者の親族などは、判定結果により監視対象者の体調の回復具合を把握することができる。
【０００５】
この特許文献１に記載の健康状態監視システムの構成要素である圧力センサや赤外線人感センサなどのセンサを入院患者が使用するベッドや車椅子などの医療用具に取り付け、患者の健康状態を監視するための監視システムとして使用することが考えられる。その場合、医療用具に取り付けたセンサの検出結果から患者の体動回数を活動量として計算し、計算した活動量から患者の体調の具合を判定する。医療従事者は、その判定結果により患者の体調の回復具合を把握することができる。
【０００６】
しかしながら、このような監視システムでは、患者の体動回数をもとに患者の体調の具合を判定しているので、体動回数に関連しないような患者の症状やセンサが検出することができないような患者の症状（例えば、患部の痛みの有無などの体外的・体内的なものや外出意欲の向上や低下などの精神的なもの）に対する患者の体調の回復具合（例えば、患部の痛みという症状に対して患部の痛みが緩和されてきたという体調の回復具合や外出意欲の低下という症状に対して外出意欲が向上してきたという体調の回復具合など）を判定することができないという問題があった。このことから、医療従事者は、このような監視システムを用いて患者の体調を把握しても、患者の体調の回復具合を判断することができる患者の症状が体動回数に関連する事象やセンサによって検出することができる事象に限られてしまうという問題があった。
【先行技術文献】
【特許文献】
【０００７】
【特許文献１】特開２００４−１７４１６８号公報
【発明の概要】
【発明が解決しようとする課題】
【０００８】
本発明は、このような課題を解決するために成されたものであり、体動回数に関連する事象やセンサによって検出することができる事象に限定されることなく、医療従事者が患者の体調の回復具合をできる限り適切に容易に判断することができるようにすることを目的とする。
【課題を解決するための手段】
【０００９】
上述した課題を解決するために、本発明のナースコールシステムでは、患者が使用するナースコール子機の特定呼出操作部にその患者の症状に適合する呼出種別を設定し、患者が特定呼出操作部を操作した際に、履歴として記憶する。そして、記憶した履歴から、特定呼出操作部の操作頻度を集計し、集計した操作頻度から、その特定呼出操作部を操作した患者の体調の変化を判定するようにしている。
【発明の効果】
【００１０】
上記のように構成した本発明によれば、特定呼出操作部に設定した呼出種別が患者の症状の悪化傾向を示すものである場合、特定呼出操作部の操作頻度が増加していると、患者の体調が悪化していると判定される。一方、特定呼出操作部に設定した呼出種別が患者の症状の回復傾向を示すものである場合、特定呼出操作部の操作頻度が増加していると、患者の体調が回復していると判定される。また、特定呼出操作部に設定した呼出種別が患者の症状の悪化傾向を示すものである場合、特定呼出操作部の操作頻度が減少していると、患者の体調が回復していると判定される。一方、特定呼出操作部に設定した呼出種別が患者の症状の回復傾向を示すものである場合、特定呼出操作部の操作頻度が減少していると、患者の体調が悪化していると判定される。これにより、医療従事者は、判定結果から特定呼出操作部を操作した患者の体調の回復具合を把握することができる。従って、医療従事者は、体動回数に関連する事象やセンサによって検出することができる事象に限定されることなく、患者の体調の回復具合をできる限り適切に容易に判断することができる。
【図面の簡単な説明】
【００１１】
【図１】本実施形態によるナースコールシステムの構成例を示すブロック図である。
【図２】本実施形態によるナースコール親機の記憶部の記憶内容例を示す説明図である。
【発明を実施するための形態】
【００１２】
以下、本発明の一実施形態を図面に基づいて説明する。本実施形態によるナースコールシステムの構成例を示すブロック図を図１に示す。同図に示すように、本実施形態によるナースコールシステムは、ナースコール子機１、ナースコール親機（特許請求の範囲の判定装置に該当する）１０を備えて構成されている。
【００１３】
また、ナースコール子機１は、子機用制御部２、呼出操作部３、特定呼出操作部４、子機用インターフェース（以下、Ｉ／Ｆとする）部５を備えて構成されている。また、ナースコール親機１０は、制御部１１、インターフェース（以下、Ｉ／Ｆとする）部１２、報知部１３、記憶部１４、表示部１５を備えて構成されている。また、制御部１１は、操作判定部１１ａ、記憶制御部１１ｂ、集計部１１ｃ、変化判定部１１ｄを備えて構成されている。
【００１４】
図１において、ナースコール子機１は、病室内の患者の近辺（例えば、ベッド近傍など）に設置されており、患者が医療従事者を呼び出すために使用するものである。ここで、ナースコール子機１は、ナースコール親機１０に伝送線を介して接続されている。また、ナースコール子機１には、自装置を識別するための子機識別情報（例えば、子機番号など）が予め割り振られている。また、患者がナースコール子機１を操作して医療従事者を呼び出した後、呼び出し操作を行ったナースコール子機１は、呼び出し操作ができない状態となる。この状態で、ナースコール親機１０や医療従事者が携行している携帯通信端末（例えば、ＰＨＳなどであり図示しない）にて呼び出し操作に対する応答が行われると、ナースコール子機１を呼び出し操作ができる状態に戻すための復旧信号がナースコール親機１０から出力される。ナースコール親機１０から出力された復旧信号を入力したナースコール子機１は、呼び出し操作ができる状態に戻る。
【００１５】
ナースコール親機１０は、医療従事者の居る部屋（例えば、スタッフルームなど）に設置されており、患者からの呼び出しを医療従事者に報知したり、医療従事者が応答したりするためのものである。ここで、ナースコール親機１０には、複数のナースコール子機１が接続されている。また、ナースコール親機１０とナースコール子機１との間には、図示しない制御機および廊下灯が設置されている。制御機は、ナースコール子機１とナースコール親機１０との間の通話やデータの送受信に関する制御を行う。また、廊下灯は、自装置に設けた表示灯を点灯または点滅させ、ナースコール子機１による呼び出しを報知する。
【００１６】
子機用制御部２は、ナースコール子機１の各構成要素を後述するように制御する。呼出操作部３は、通常の呼び出しを実施するためのものであり、ボタンなどにより構成されている。特定呼出操作部４は、患者の症状に適合する呼出種別による特定の呼び出しを実施するためのものであり、ボタンなどにより構成されている。ここで、特定呼出操作部４の呼出種別は、後述するナースコール親機１０の記憶部１４に予め登録されている。また、特定呼出操作部４は、大きさや色などにより呼出操作部３と区別されている。
【００１７】
呼出操作部３が操作されると、子機用制御部２は通常の呼び出しを報知するための通常呼出信号を生成する。その際、通常呼出信号には子機識別情報が含まれる。一方、特定呼出操作部４が操作されると、子機用制御部２は特定の呼び出しを報知するための特定呼出信号を生成する。その際、特定呼出信号には子機識別情報が含まれる。
【００１８】
子機用Ｉ／Ｆ部５は、ナースコール子機１がナースコール親機１０との間で通信するためにＩ／Ｆ部１２に接続されている。ここで、子機用Ｉ／Ｆ部５は、子機用制御部２にて生成された通常呼出信号および特定呼出信号を出力する。また、子機用Ｉ／Ｆ部５は、ナースコール親機１０から出力された復旧信号を入力する。
【００１９】
制御部１１は、ナースコール親機１０の各構成要素を後述するように制御する。Ｉ／Ｆ部１２は、ナースコール親機１０がナースコール子機１との間で通信するために子機用Ｉ／Ｆ部５に接続されている。また、Ｉ／Ｆ部１２は、ナースコール子機１から出力された通常呼出信号および特定呼出信号を入力する。また、Ｉ／Ｆ部１２は、ナースコール子機１へ復旧信号を出力する。
【００２０】
報知部１３は、スピーカや表示ディスプレイ、表示灯などにより構成されており、スピーカから呼び出し音を出力させたり、表示ディスプレイに呼び出し表示を行わせたり、表示灯を点灯または点滅させたりして、ナースコール子機１により呼び出しの操作が行われたことを報知する。なお、報知部１３は、呼び出し音や音声の出力パターン、表示ディスプレイによる表示パターンおよび表示灯による点滅パターンの少なくとも一つを異ならせて通常の呼び出しおよび特定の呼び出しを区別して報知するようにしても良い。これにより、呼び出しを受けた医療従事者は、報知が通常の呼び出しによるものなのか、特定の呼び出しによるものなのかを把握することができる。
【００２１】
ナースコール子機１による呼び出しの操作により報知部１３が報知を行っている場合、呼び出しの操作を行ったナースコール子機１は、呼び出しの操作ができない状態となる。そのため、ナースコール親機１０に図示しない復旧操作部を設けている。復旧操作部の操作により、制御部１１は復旧信号を生成するとともに、報知部１３の報知を停止させる。
【００２２】
記憶部１４は、メモリなどの記憶装置により構成されており、患者が特定呼出操作部４を操作した履歴を示す履歴情報とその患者が使用したナースコール子機１を識別するための子機識別情報とを関連付けて記憶する。また、記憶部１４は、子機識別情報と、子機識別情報により特定されるナースコール子機１に設けた特定呼出操作部４の呼出種別を示す呼出種別情報と、そのナースコール子機１を使用する患者の症状が回復している場合に特定呼出操作部４の操作頻度が増加傾向であるか減少傾向であるかを示す傾向情報とを関連付けて記憶する。ここで、記憶部１４には、患者の症状に適合する呼出種別が記憶されている。
【００２３】
記憶部１４は、図２（ａ）に示すように、患者が使用するナースコール子機１を示す子機番号などの子機識別情報を格納する子機番号領域１４１、そのナースコール子機１に設けた特定呼出操作部４の呼出種別を示す呼出種別情報を格納する呼出種別領域１４２、その患者の症状が回復している場合に特定呼出操作部４の操作頻度が増加傾向であるか減少傾向であるかを示す傾向情報を格納する傾向領域１４３を記憶している。子機番号領域１４１には子機識別情報として、例えば「００１」などの情報が格納されている。呼出種別領域１４２には呼出種別情報として、例えば「患部の痛みあり」などの情報が格納されている。傾向領域１４３には傾向情報として、例えば「減少」などの情報が格納されている。ここで、医療従事者などは、呼出種別情報および傾向情報を図示しない入力部にて入力して記憶部１４に記憶させることで、特定呼出操作部４の呼出種別を登録することができる。
【００２４】
なお、本実施形態では、ナースコール子機１を使用する患者の症状が回復している場合に特定呼出操作部４の操作頻度が増加傾向であるか減少傾向であるかを記憶部１４の傾向領域１４３に格納しているが、これに限定されない。例えば、ナースコール子機１を使用する患者の症状が悪化している場合に特定呼出操作部４の操作頻度が増加傾向であるか減少傾向であるかを記憶部１４の傾向領域１４３に格納するようにしても良い。また、この場合において、呼出種別領域１４２に「患部の痛みあり」といった呼出種別情報が格納されている場合、傾向領域１４３には「増加」が格納される。また、呼出種別領域１４２に「外出希望」といった呼出種別情報が格納されている場合、傾向領域１４３には「減少」が格納される。
【００２５】
また、本実施形態では、呼出種別として「患部の痛みあり」や「外出希望」といった呼出種別情報を用いているが、これに限定されない。例えば、呼出種別として「立ち上がり介助」や「食事を取りたい」、「体がだるい」などといった呼出種別情報を用いるようにしても良い。
【００２６】
また、記憶部１４は、図２（ｂ）に示すように、患者が特定の呼び出しを行った呼出日時を示す呼出日時情報を履歴情報として格納する呼出日時領域１４４、特定の呼び出しが行われたナースコール子機１を示す子機識別情報を格納する子機番号領域１４５を記憶している。呼出日時領域１４４には呼出日時情報として、例えば「３／１０  ９：００」などの情報が格納されている。子機番号領域１４５には子機識別情報として、例えば「００１」などの情報が格納されている。ここで、呼出日時情報は、ナースコール子機１を使用する患者が退院などにより入れ替わったり、ナースコール子機１の特定呼出操作部４の呼出種別が新たに登録されたりすると、所定の操作によりリセットされる。また、記憶部１４は、呼出日時情報がリセットされた日時を示す使用開始日時情報を子機識別情報に関連付けて記憶する。また、所定の操作とは、患者が入れ替わった場合に、新しい患者が使用するナースコール子機１を指定し、呼出日時情報の取得を新たに開始する操作のことや特定呼出操作部４の呼出種別が新たに登録された場合に、ナースコール子機１を指定し、呼出日時情報の取得を新たに開始する操作のことを指す。
【００２７】
操作判定部１１ａは、Ｉ／Ｆ部１２がナースコール子機１から出力された特定呼出信号を入力したか否か（換言すると、ナースコール子機１の特定呼出操作部４が操作されたか否か）を判定する。Ｉ／Ｆ部１２がナースコール子機１から出力された特定呼出信号を入力した（換言すると、ナースコール子機１の特定呼出操作部４が操作された）と操作判定部１１ａにて判断した場合に、制御部１１は、記憶制御部１１ｂを動作させるとともに、特定呼出信号に含まれる子機識別情報を取得して、特定の呼び出しが行われたナースコール子機１を特定する。そして、制御部１１は、報知部１３を動作させて、特定の呼び出しを報知させる。また、操作判定部１１ａは、所定の操作が行われたか否かを判定する。所定の操作が行われたと操作判定部１１ａにて判断した場合に、制御部１１は、記憶制御部１１ｂを動作させる。
【００２８】
記憶制御部１１ｂは、Ｉ／Ｆ部１２がナースコール子機１から出力された特定呼出信号を入力した（換言すると、ナースコール子機１の特定呼出操作部４が操作された）と操作判定部１１ａにて判断した場合に動作する。また、記憶制御部１１ｂは、ナースコール子機１を使用する患者が入れ替わったり、ナースコール子機１の特定呼出操作部４の呼出種別が新たに登録されたりして、所定の操作が行われたと操作判定部１１ａにて判断した場合に動作する。制御部１１は、現在日時を示す日時情報を図示しない時計部から取得する。そして、記憶制御部１１ｂは、制御部１１が取得した日時情報と制御部１１が報知部１３を動作させる際に取得した子機識別情報とを関連付けて呼出日時情報として記憶部１４に記憶させる。また、記憶制御部１１ｂは、制御部１１が取得した日時情報と所定の操作により指定された子機識別情報とを関連付けて使用開始日時情報として記憶部１４に記憶させる。
【００２９】
集計部１１ｃは、記憶部１４に記憶されている呼出日時情報と子機識別情報とから複数の所定の期間における特定呼出操作部４の操作頻度を示す頻度情報をナースコール子機１毎に集計する。ここで、本実施形態では、一つのナースコール子機１が一つの特定呼出操作部４を備えているので、集計部１１ｃは、ナースコール子機１毎に頻度情報を集計している。また、本実施形態では、複数の所定の期間は、連続した二つの期間（例えば、任意に指定された時点までの２４時間とその前の２４時間など）としている。また、集計部１１ｃが頻度情報を集計するには、集計の対象となる期間に該当する呼出日時情報（本実施形態では、少なくとも４８時間分の呼出日時情報）が記憶部１４に記憶されている必要がある。すなわち、使用開始日時情報による日時から集計を開始する日時までの期間が４８時間以上である必要がある。
【００３０】
医療従事者などがナースコール親機１０に設けた開始操作部（図示せず）を操作すると、制御部１１は集計部１１ｃを動作させる。また、制御部１１は、開始操作部が操作された時点までの４８時間分の呼出日時情報が記憶部１４に記憶されているか否かを記憶部１４を参照して調べる。具体的には、制御部１１は、開始操作部が操作された時点から４８時間遡った日時を算出して、記憶部１４に記憶されている使用開始日時情報による日時が算出した日時以前であるか否かを判定する。使用開始日時情報による日時が算出した日時以前であると制御部１１にて判断した場合に、集計部１１ｃは、開始操作部が操作された時点までの２４時間を第一の期間として算出し、それ以前の２４時間を第二の期間として算出する。ここで、集計部１１ｃは、第一の期間と第二の期間とについて、呼出日時情報をそれぞれ記憶部１４から抽出し、抽出した呼出日時情報に関連付けられて記憶部１４に記憶されている子機識別情報を取得する。集計部１１ｃは、取得した子機識別情報により、連続した二つの期間におけるナースコール子機１毎の頻度情報を集計する。
【００３１】
変化判定部１１ｄは、集計部１１ｃにて集計した頻度情報の値から、特定呼出操作部４を操作した患者の体調の変化を判定する。ここで、変化判定部１１ｄは、集計部１１ｃが二つの期間における頻度情報をそれぞれ集計すると、動作を開始する。変化判定部１１ｄは、集計部１１ｃにて集計した二つの期間における頻度情報を比較する。また、頻度情報の値を比較する場合、変化判定部１１ｄは、二つの期間のうち、古い期間である第二の期間の頻度情報に対して最新の期間である第一の期間の頻度情報を見ることで変化を判定している。
【００３２】
また、変化判定部１１ｄによる頻度情報の比較の処理と併せて、制御部１１は、集計部１１ｃが頻度情報を集計するために使用した子機識別情報に関連付けられて記憶部１４に記憶されている傾向情報を取得する。制御部１１が取得した傾向情報の値が「減少」である場合に、頻度情報の値を比較して特定呼出操作部４の操作頻度が増加していると変化判定部１１ｄにて判断すると、変化判定部１１ｄは、患者の体調が悪化していると判定する。また、制御部１１が取得した傾向情報の値が「減少」である場合に、頻度情報の値を比較して特定呼出操作部４の操作頻度が減少していると変化判定部１１ｄにて判断すると、変化判定部１１ｄは、患者の体調が回復していると判定する。
【００３３】
一方、制御部１１が取得した傾向情報の値が「増加」である場合に、頻度情報の値を比較して特定呼出操作部４の操作頻度が増加していると変化判定部１１ｄにて判断すると、変化判定部１１ｄは、患者の体調が回復していると判定する。また、制御部１１が取得した傾向情報の値が「増加」である場合に、頻度情報の値を比較して特定呼出操作部４の操作頻度が減少していると変化判定部１１ｄにて判断すると、変化判定部１１ｄは、患者の体調が悪化していると判定する。
【００３４】
表示部１５は、変化判定部１１ｄにて判定した結果を表示するものであり、表示ディスプレイなどにより構成されている。ここで、患者の体調が悪化していると変化判定部１１ｄにて判定した場合に、制御部１１は、患者の体調が悪化していることを表示部１５に表示させる。一方、患者の体調が回復していると変化判定部１１ｄにて判定した場合に、制御部１１は、患者の体調が回復していることを表示部１５に表示させる。
【００３５】
次に、図２に示す記憶部１４に予め記憶しておいた各情報を用いて、患者の体調の回復具合を判定する具体例を説明する。また、この例では、集計部１１ｃが集計を行う連続した二つの期間が４８時間に設定されているものとする。
【００３６】
まず、記憶部１４は、子機識別情報と呼出種別情報と傾向情報とを関連付けて記憶している。また、記憶部１４は、使用開始日時情報である３／１０  ０：００から４８時間分の呼出日時情報と子機識別情報とを関連付けて記憶している。また、子機番号００１の呼出種別情報として「患部の痛みあり」が登録されており、子機番号００１のナースコール子機１を使用する患者の症状が回復している場合の特定呼出操作部４の操作頻度の傾向情報として「減少」が登録されている。また、子機番号００２の呼出種別情報として「立ち上がり介助」が登録されており、子機番号００２のナースコール子機１を使用する患者の症状が回復している場合の特定呼出操作部４の操作頻度の傾向情報として「減少」と登録されている。また、子機番号００３の呼出種別情報として「外出希望」が登録されており、子機番号００３のナースコール子機１を使用する患者の症状が回復している場合の特定呼出操作部４の操作頻度の傾向情報として「増加」と登録されている。また、子機番号００４の呼出種別情報として「外出希望」が登録されており、子機番号００４のナースコール子機１を使用する患者の症状が回復している場合の特定呼出操作部４の操作頻度の傾向情報として「増加」と登録されている。
【００３７】
このような状態で、医療従事者などがナースコール親機１０に設けた操作開始部を操作すると、制御部１１は集計部１１ｃを動作させる。また、制御部１１は、開始操作部が操作された時点（３／１２  ０：００）までの４８時間遡った日時を算出する。制御部１１は、記憶部１４に記憶されている使用開始日時情報による日時が算出した日時（３／１０  ０：００）以前であるか否かを判定する。算出した日時（３／１０  ０：００）が使用開始日時情報の値と同じであるので、集計部１１ｃは、開始操作部が操作された時点（３／１２  ０：００）までの２４時間を第一の期間（３／１２  ０：００までの２４時間）として算出し、それ以前の２４時間を第二の期間（３／１１  ０：００までの２４時間）として算出する。
【００３８】
ここで、集計部１１ｃは、第一の期間と第二の期間とについて、呼出日時情報をそれぞれ記憶部１４から抽出し、抽出した呼出日時情報に関連付けられて記憶部１４に記憶されている子機識別情報を取得する。集計部１１ｃは、取得した子機識別情報により、連続した二つの期間におけるナースコール子機１毎の頻度情報（子機番号００１のナースコール子機１の３／１０の呼び出し件数が１件であり、子機番号００２のナースコール子機１の３／１０の呼び出し件数が３件であり、子機番号００３のナースコール子機１の３／１０の呼び出し件数が２件であり、子機番号００４のナースコール子機１の３／１０の呼び出し件数が２件であり、子機番号００１のナースコール子機１の３／１１の呼び出し件数が３件であり、子機番号００２のナースコール子機１の３／１１の呼び出し件数が１件であり、子機番号００３のナースコール子機１の３／１１の呼び出し件数が４件であり、子機番号００４のナースコール子機１の３／１１の呼び出し件数が１件である）を集計する。
【００３９】
変化判定部１１ｄは、集計部１１ｃにて集計した二つの期間における頻度情報を比較する。また、変化判定部１１ｄは、二つの期間のうち、古い期間である第二の期間の頻度情報に対して最新の期間である第一の期間の頻度情報を見ることで変化を判定する。
【００４０】
また、変化判定部１１ｄによる頻度情報の比較の処理と併せて、制御部１１は、集計部１１ｃが頻度情報を集計するために使用した子機識別情報に関連付けられて記憶部１４に記憶されている傾向情報（子機番号００１のナースコール子機１の傾向情報の値が「減少」であり、子機番号００２のナースコール子機１の傾向情報の値が「減少」であり、子機番号００３のナースコール子機１の傾向情報の値が「増加」であり、子機番号００４のナースコール子機１の傾向情報の値が「増加」である）を取得する。
【００４１】
子機番号００１のナースコール子機１の傾向情報の値が「減少」であり、子機番号００１のナースコール子機１の３／１１の呼び出し件数（３件）が子機番号００１のナースコール子機１の３／１０の呼び出し件数（１件）に比べて増加していると変化判定部１１ｄにて判断する。すると、変化判定部１１ｄは、患者の体調が悪化していると判定する。そして、制御部１１は、変化判定部１１ｄにて判定した結果として、子機番号００１のナースコール子機１を使用する患者の体調が悪化していることを表示部１５に表示させる。
【００４２】
また、子機番号００２のナースコール子機１の傾向情報の値が「減少」であり、子機番号００２のナースコール子機１の３／１１の呼び出し件数（１件）が子機番号００２のナースコール子機１の３／１０の呼び出し件数（３件）に比べて減少していると変化判定部１１ｄにて判断する。すると、変化判定部１１ｄは、患者の体調が回復していると判定する。そして、制御部１１は、変化判定部１１ｄにて判定した結果として、子機番号００２のナースコール子機１を使用する患者の体調が回復していることを表示部１５に表示させる。
【００４３】
また、子機番号００３のナースコール子機１の傾向情報の値が「増加」であり、子機番号００３のナースコール子機１の３／１１の呼び出し件数（４件）が子機番号００３のナースコール子機１の３／１０の呼び出し件数（２件）に比べて増加していると変化判定部１１ｄにて判断する。すると、変化判定部１１ｄは、患者の体調が回復していると判定する。そして、制御部１１は、変化判定部１１ｄにて判定した結果として、子機番号００３のナースコール子機１を使用する患者の体調が回復していることを表示部１５に表示させる。
【００４４】
また、子機番号００４のナースコール子機１の傾向情報の値が「増加」であり、子機番号００４のナースコール子機１の３／１１の呼び出し件数（１件）が子機番号００４のナースコール子機１の３／１０の呼び出し件数（２件）に比べて減少していると変化判定部１１ｄにて判断する。すると、変化判定部１１ｄは、患者の体調が悪化していると判定する。そして、制御部１１は、変化判定部１１ｄにて判定した結果として、子機番号００４のナースコール子機１を使用する患者の体調が悪化していることを表示部１５に表示させる。
【００４５】
以上、詳しく説明したように、本実施形態のナースコールシステムでは、患者が使用するナースコール子機１を識別するための子機識別情報とその患者の症状に適合する呼出種別を示す呼出識別情報とその患者の症状が回復している場合に特定呼出操作部４の操作頻度が増加傾向であるか減少傾向であるかを示す傾向情報とを関連付けて記憶部１４に記憶しておく。そして、患者が特定の呼び出しを行った際に、記憶制御部１１ｂは、特定の呼び出しを行った日時を示す呼出日時情報と子機識別情報とを関連付けて記憶部１４に記憶させる。この呼出日時情報が二つの期間にわたって記憶され、患者の体調の回復具合の表示が指示されると、集計部１１ｃは、記憶部１４に記憶されている呼出日時情報と子機識別情報とから二つの期間における操作頻度を示す頻度情報をナースコール子機１毎に集計する。変化判定部１１ｄは、集計部１１ｃにて集計した頻度情報とその頻度情報を集計するために使用した子機識別情報に関連付けられて記憶部１４に記憶されている傾向情報とから、特定呼出操作部４を操作した患者の体調の変化を判定するようにしている。これにより、医療従事者は、判定結果から特定呼出操作部４を操作した患者の体調の回復具合を把握することができる。従って、医療従事者は、体動回数に関連する事象やセンサによって検出することができる事象に限定されることなく、患者の体調の回復具合をできる限り適切に容易に判断することができる。
【００４６】
なお、前述した実施形態では、集計部１１ｃは、呼出日時情報を時間単位で抽出しているが、これに限定されない。例えば、集計部１１ｃは、呼出日時情報を日単位や週単位などで抽出するようにしても良い。
【００４７】
また、前述した実施形態では、連続した二つの期間を複数の所定の期間としているが、これに限定されない。例えば、連続していない二つの期間を複数の所定の期間とするようにしても良いし、三つ以上の期間を複数の所定の期間とするようにしても良い。その際、変化判定部１１ｄは、各期間の頻度情報の値を比較するようにすれば良い。
【００４８】
また、前述した実施形態では、開始操作部が操作された時点までの２４時間を第一の期間とし、それ以前の２４時間を第二の期間としているが、これに限定されない。例えば、医療従事者などが指定した日時までの２４時間を第一の期間とし、それ以前の２４時間を第二の期間とするようにしても良い。
【００４９】
また、前述した実施形態では、医療従事者が開始操作部を操作すると、制御部１１は、患者の体調が回復しているか悪化しているかを表示部１５に表示させているが、これに限定されない。例えば、第一の期間が終了したタイミングや所定のタイミングで、制御部１１は、患者の体調が回復しているか悪化しているかを表示部１５に自動的に表示させるようにしても良い。
【００５０】
また、前述した実施形態では、記憶部１４、操作判定部１１ａ、記憶制御部１１ｂ、集計部１１ｃ、変化判定部１１ｄは、ナースコール親機１０に設けられているが、これに限定されない。例えば、記憶部１４、操作判定部１１ａ、記憶制御部１１ｂ、集計部１１ｃ、変化判定部１１ｄが図示しない制御機などに設けられるようにしても良い。
【００５１】
また、前述した実施形態では、表示部１５は、ナースコール親機１０に設けられているが、これに限定されない。例えば、医療従事者が携行している携帯通信端末（図示せず）などに表示部１５が設けられるようにしても良い。
【００５２】
また、前述した実施形態では、記憶制御部１１ｂは、患者がナースコール子機１の特定呼出操作部４を操作した日時を呼出日時情報として記憶部１４に記憶させているが、これに限定されない。例えば、記憶制御部１１ｂは、医療従事者が特定の呼び出しに対して応答した日時を呼出日時情報として記憶部１４に記憶させるようにしても良い。
【００５３】
また、前述した実施形態では、ナースコール子機１は、一つの特定呼出操作部４を備えて構成されているが、これに限定されない。例えば、ナースコール子機１は、二つ以上の特定呼出操作部４を備えて構成されるようにしても良い。その場合に、記憶部１４は、呼出種別情報と傾向情報とを各ナースコール子機１の特定呼出操作部４毎に関連付けて予め記憶しておく必要があるとともに、子機用制御部２は、どの特定呼出操作部４が操作されたかをナースコール親機１０にて認識することができるように、特定呼出信号を区別して生成する（例えば、操作された特定呼出操作部４を識別するための情報を含む特定呼出信号を生成することなど）必要がある。
【００５４】
また、前述した実施形態では、記憶制御部１１ｂは、患者が特定の呼び出しを行った呼出日時を示す呼出日時情報として制御部１１が図示しない時計部から取得した現在日時を示す日時情報を記憶部１４に記憶させているが、これに限定されない。例えば、記憶制御部１１ｂは、所定の期間（例えば、２４時間など）に患者が特定の呼び出しを行った回数を示す回数情報を記憶部１４に記憶させるようにしても良い。具体的には、制御部１１は、所定の期間における特定の呼び出しを行った回数をナースコール子機１毎にカウントし、その回数を回数情報として出力する。また、制御部１１は、カウントする対象となったナースコール子機１の子機識別情報を出力する。そして、記憶制御部１１ｂは、制御部１１から出力された回数情報と子機識別情報とを関連付けて記憶部１４に記憶させる。その場合、集計部１１ｃは、記憶部１４に記憶されている回数情報と子機識別情報とから頻度情報を集計するようにしている。これにより、現在時刻を計測する時計部をナースコール親機１０に設ける必要がなくなる。
【００５５】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００５６】
１    ナースコール子機
２    子機用制御部
３    呼出操作部
４    特定呼出操作部
５    子機用インターフェース（Ｉ／Ｆ）部
１０    ナースコール親機
１１    制御部
１１ａ    操作判定部
１１ｂ    記憶制御部
１１ｃ    集計部
１１ｄ    変化判定部
１２    インターフェース（Ｉ／Ｆ）部
１３    報知部
１４    記憶部
１４１、１４５    子機番号領域
１４２    呼出種別領域
１４３    傾向領域
１４４    呼出日時領域
１５    表示部
【図１】
2010233627.tif 000003
【図２】
2010233627.tif 000004